(57)【要約】【課題】新たな構成品を付加することなく、不要な放射線画像の撮影を防止することのできる放射線画像撮影管理装置、放射線画像撮影システム、およびプログラムを得る。【解決手段】ＣＰＵ１０４により、電子カセッテ３２を特定するためのＩＤ情報および当該電子カセッテ３２の設置位置を示す位置情報を関連付けてＨＤＤ１１０により記憶しておき、新たに用いられる電子カセッテ３２のＩＤ情報および位置情報が操作パネル１０２を介して受け付けられた場合の、当該受け付けられた位置情報に関連付けられてＨＤＤ１１０に記憶されている、当該受け付けられたＩＤ情報を除くＩＤ情報の数が予め定められた上限値以上になっている場合、および撤去される電子カセッテ３２のＩＤ情報および位置情報が受け付けられた場合の、当該受け付けられた位置情報に関連付けられて記憶されているＩＤ情報の数が予め定められた下限値以下になっている場合に警告を報知する。【選択図】図４
2011200311.tif 000002
【特許請求の範囲】
【請求項１】
放射線画像の撮影を行う放射線画像撮影装置を特定するための特定情報および当該放射線画像撮影装置の設置位置を示す位置情報を関連付けて記憶する記憶手段と、
新たに用いられる前記放射線画像撮影装置、および撤去される前記放射線画像撮影装置の少なくとも一方の前記特定情報および前記位置情報を受け付ける受付手段と、
前記受付手段によって新たに用いられる前記放射線画像撮影装置の前記特定情報および前記位置情報が受け付けられた場合における、当該受け付けられた前記位置情報に関連付けられて前記記憶手段に記憶されている、当該受け付けられた前記特定情報を除く前記特定情報の数が予め定められた上限値以上になっているか否かの判定、および前記受付手段によって撤去される前記放射線画像撮影装置の前記特定情報および前記位置情報が受け付けられた場合における、当該受け付けられた前記位置情報に関連付けられて前記記憶手段に記憶されている前記特定情報の数が予め定められた下限値以下になっているか否かの判定の少なくとも一方の判定を行う判定手段と、
前記判定手段によって前記上限値以上になっていると判定された場合、および前記下限値以下になっていると判定された場合に警告を報知する報知手段と、
を備えた放射線画像撮影管理装置。
【請求項２】
前記判定手段によって前記上限値以上になっていると判定された場合に、前記受付手段によって受け付けられた前記位置情報と共に受け付けられた前記特定情報に、当該位置情報に関連付けられて前記記憶手段に記憶されている前記特定情報を更新する更新手段
をさらに備えた請求項１記載の放射線画像撮影管理装置。
【請求項３】
同一の設置位置において複数の前記放射線画像撮影装置により撮影を行う場合に、当該複数の放射線画像撮影装置の全てに対して撮影を行うように指示する撮影指示手段
をさらに備えた請求項１または請求項２記載の放射線画像撮影管理装置。
【請求項４】
前記放射線画像撮影装置が新たに用いられることを検出する第１検出手段をさらに備え、
前記受付手段は、前記第１検出手段によって前記放射線画像撮影装置が新たに用いられることが検出された場合に当該放射線画像撮影装置の前記特定情報および前記位置情報を受け付ける
請求項１〜請求項３の何れか１項記載の放射線画像撮影管理装置。
【請求項５】
前記第１検出手段は、前記放射線画像撮影装置の電源スイッチが投入されたこと、および前記放射線画像撮影装置との通信が可能となったことの少なくとも一方を検出することによって当該放射線画像撮影装置が新たに用いられることを検出する
請求項４記載の放射線画像撮影管理装置。
【請求項６】
前記放射線画像撮影装置が撤去されることを検出する第２検出手段をさらに備え、
前記受付手段は、前記第２検出手段によって前記放射線画像撮影装置が撤去されることが検出された場合に当該放射線画像撮影装置の前記特定情報および前記位置情報を受け付ける
請求項１〜請求項５の何れか１項記載の放射線画像撮影管理装置。
【請求項７】
前記第２検出手段は、前記放射線画像撮影装置の電源スイッチがオフ状態とされたこと、および前記放射線画像撮影装置との通信ができなくなったことの少なくとも一方を検出することによって当該放射線画像撮影装置が撤去されることを検出する
請求項６記載の放射線画像撮影管理装置。
【請求項８】
前記放射線画像撮影装置により撮影を行う際に、当該放射線画像撮影装置に対して撮影を行うことを示す情報を提示するように指示する提示指示手段
をさらに備えた請求項１〜請求項７の何れか１項記載の放射線画像撮影管理装置。
【請求項９】
前記受付手段は、前記放射線画像撮影装置から前記特定情報および前記位置情報を直接受け付ける
請求項１〜請求項８の何れか１項記載の放射線画像撮影管理装置。
【請求項１０】
請求項１〜請求項９の何れか１項に記載の放射線画像撮影管理装置と、
前記放射線画像撮影管理装置により管理対象とされる放射線画像撮影装置と、
を含む放射線画像撮影システム。
【請求項１１】
コンピュータを、
放射線画像の撮影を行う放射線画像撮影装置を特定するための特定情報および当該放射線画像撮影装置の設置位置を示す位置情報を関連付けて記憶する記憶手段と、
新たに用いられる前記放射線画像撮影装置、および撤去される前記放射線画像撮影装置の少なくとも一方の前記特定情報および前記位置情報を受け付ける受付手段と、
前記受付手段によって新たに用いられる前記放射線画像撮影装置の前記特定情報および前記位置情報が受け付けられた場合における、当該受け付けられた前記位置情報に関連付けられて前記記憶手段に記憶されている、当該受け付けられた前記特定情報を除く前記特定情報の数が予め定められた上限値以上になっているか否かの判定、および前記受付手段によって撤去される前記放射線画像撮影装置の前記特定情報および前記位置情報が受け付けられた場合における、当該受け付けられた前記位置情報に関連付けられて前記記憶手段に記憶されている前記特定情報の数が予め定められた下限値以下になっているか否かの判定の少なくとも一方の判定を行う判定手段と、
前記判定手段によって前記上限値以上になっていると判定された場合、および前記下限値以下になっていると判定された場合に警告を報知する報知手段と、
として機能させるためのプログラム。
【発明の詳細な説明】
【技術分野】
【０００１】
本発明は、放射線画像撮影管理装置、放射線画像撮影システム、およびプログラムに係り、特に、放射線画像の撮影を行う放射線画像撮影装置の管理を行う放射線画像撮影管理装置、放射線画像撮影システム、およびプログラムに関する。
【背景技術】
【０００２】
近年、ＴＦＴ（Thin Film Transistor）アクティブマトリクス基板上に放射線感応層を配置し、放射線を直接デジタルデータに変換できるＦＰＤ（Flat Panel Detector）等の放射線検出器が実用化されており、この放射線検出器を用いて、照射された放射線により表わされる放射線画像を撮影する可搬型放射線画像撮影装置（以下、「電子カセッテ」ともいう。）が実用化されている。なお、上記電子カセッテに用いられる放射線検出器には、放射線を変換する方式として、放射線をシンチレータで光に変換した後にフォトダイオード等の半導体層で電荷に変換する間接変換方式や、放射線をアモルファスセレン等の半導体層で電荷に変換する直接変換方式等があり、各方式でも半導体層に使用可能な材料が種々存在する。
【０００３】
ところで、以上のような電子カセッテを含めた放射線画像撮影装置により、当該放射線画像撮影装置を装着可能に構成された撮影台を用いて放射線画像の撮影を行う場合、すでに放射線画像撮影装置が装着されているはずの撮影台に対して、他の放射線画像撮影装置が装着されてしまう場合がある。例えば、放射線画像撮影装置に内蔵された充電池を充電するために当該放射線画像撮影装置を撮影台から取り外している間に他の放射線画像撮影装置が当該撮影台に装着されてしまう場合等である。
【０００４】
この場合、放射線画像撮影装置による撮影動作を制御装置により制御する場合には、実際には装着されていない放射線画像撮影装置に対して撮影を行うように制御してしまう結果、不要な撮影を行ってしまう場合があった。
【０００５】
この問題を解決するために適用できる技術として、特許文献１には、被写体を透過した放射線を撮影する放射線撮影システムであって、光電変換部を有し、被写体を透過した放射線を撮影するための少なくとも１つのカセッテ型撮影装置と、前記カセッテ型撮影装置を着脱自在に保持する保持部を有する少なくとも１つの撮影台と、前記カセッテ型撮影装置と前記保持部との組み合わせにより構成される撮影システムを特定するシステム情報に基づいて動作する制御装置と、を備えることを特徴とする放射線撮影システムが開示されている。
【先行技術文献】
【特許文献】
【０００６】
【特許文献１】特開２００２−３３６２２５号公報
【発明の概要】
【発明が解決しようとする課題】
【０００７】
しかしながら、上記特許文献１に開示されている技術では、カセッテ型撮影装置（放射線画像撮影装置）が保持部に保持されたことを検出する検出手段、および当該検出手段による検出結果を示す情報を、カセッテ型撮影装置を制御する制御装置に送信する送信手段を、撮影台または保持部に設ける必要がある、という問題点があった。
【０００８】
本発明は上記問題点を解決するためになされたものであり、新たな構成品を付加することなく、不要な放射線画像の撮影を防止することのできる放射線画像撮影管理装置、放射線画像撮影システム、およびプログラムを提供することを目的とする。
【課題を解決するための手段】
【０００９】
上記目的を達成するために、請求項１に記載の放射線画像撮影管理装置は、放射線画像の撮影を行う放射線画像撮影装置を特定するための特定情報および当該放射線画像撮影装置の設置位置を示す位置情報を関連付けて記憶する記憶手段と、新たに用いられる前記放射線画像撮影装置、および撤去される前記放射線画像撮影装置の少なくとも一方の前記特定情報および前記位置情報を受け付ける受付手段と、前記受付手段によって新たに用いられる前記放射線画像撮影装置の前記特定情報および前記位置情報が受け付けられた場合における、当該受け付けられた前記位置情報に関連付けられて前記記憶手段に記憶されている、当該受け付けられた前記特定情報を除く前記特定情報の数が予め定められた上限値以上になっているか否かの判定、および前記受付手段によって撤去される前記放射線画像撮影装置の前記特定情報および前記位置情報が受け付けられた場合における、当該受け付けられた前記位置情報に関連付けられて前記記憶手段に記憶されている前記特定情報の数が予め定められた下限値以下になっているか否かの判定の少なくとも一方の判定を行う判定手段と、前記判定手段によって前記上限値以上になっていると判定された場合、および前記下限値以下になっていると判定された場合に警告を報知する報知手段と、を備えている。
【００１０】
請求項１に記載の放射線画像撮影管理装置によれば、記憶手段により、放射線画像の撮影を行う放射線画像撮影装置を特定するための特定情報および当該放射線画像撮影装置の設置位置を示す位置情報が関連付けられて記憶される。
【００１１】
また、本発明では、受付手段により、新たに用いられる前記放射線画像撮影装置、および撤去される前記放射線画像撮影装置の少なくとも一方の前記特定情報および前記位置情報が受け付けられる。
【００１２】
ここで、本発明では、判定手段により、前記受付手段によって新たに用いられる前記放射線画像撮影装置の前記特定情報および前記位置情報が受け付けられた場合における、当該受け付けられた前記位置情報に関連付けられて前記記憶手段に記憶されている、当該受け付けられた前記特定情報を除く前記特定情報の数が予め定められた上限値以上になっているか否かの判定、および前記受付手段によって撤去される前記放射線画像撮影装置の前記特定情報および前記位置情報が受け付けられた場合における、当該受け付けられた前記位置情報に関連付けられて前記記憶手段に記憶されている前記特定情報の数が予め定められた下限値以下になっているか否かの判定の少なくとも一方の判定が行われる。
【００１３】
そして、本発明では、前記判定手段によって前記上限値以上になっていると判定された場合、および前記下限値以下になっていると判定された場合に報知手段によって警告が報知される。なお、上記報知手段による報知には、可視表示による報知、永久可視表示による報知、および可聴表示による報知が含まれる。
【００１４】
このように、請求項１に記載の放射線画像撮影管理装置によれば、放射線画像撮影装置を特定するための特定情報および当該放射線画像撮影装置の設置位置を示す位置情報を関連付けて記憶しておき、新たに用いられる放射線画像撮影装置の特定情報および位置情報が受け付けられた場合における、当該受け付けられた位置情報に関連付けられて記憶されている、当該受け付けられた特定情報を除く特定情報の数が予め定められた上限値以上になっている場合、および撤去される放射線画像撮影装置の特定情報および位置情報が受け付けられた場合における、当該受け付けられた位置情報に関連付けられて記憶されている特定情報の数が予め定められた下限値以下になっている場合の少なくとも一方の場合に警告を報知しているので、新たな構成品を付加することなく、不要な放射線画像の撮影を防止することができる。
【００１５】
なお、本発明は、請求項２に記載の発明のように、前記判定手段によって前記上限値以上になっていると判定された場合に、前記受付手段によって受け付けられた前記位置情報と共に受け付けられた前記特定情報に、当該位置情報に関連付けられて前記記憶手段に記憶されている前記特定情報を更新する更新手段をさらに備えてもよい。これにより、新たに用いられる放射線画像撮影装置を優先して用いることが可能となり、より利便性を向上させることができる。
【００１６】
また、本発明は、請求項３に記載の発明のように、同一の設置位置において複数の前記放射線画像撮影装置により撮影を行う場合に、当該複数の放射線画像撮影装置の全てに対して撮影を行うように指示する撮影指示手段をさらに備えてもよい。これにより、一度の撮影によって確実に放射線画像の撮影を行うことができる結果、不要な放射線画像の撮影を防止することができる。
【００１７】
また、本発明は、請求項４に記載の発明のように、前記放射線画像撮影装置が新たに用いられることを検出する第１検出手段をさらに備え、前記受付手段が、前記第１検出手段によって前記放射線画像撮影装置が新たに用いられることが検出された場合に当該放射線画像撮影装置の前記特定情報および前記位置情報を受け付けてもよい。これにより、自動的に前記特定情報および前記位置情報が受け付けられる結果、より利便性を向上させることができる。
【００１８】
特に、請求項４に記載の発明は、請求項５に記載の発明のように、前記第１検出手段が、前記放射線画像撮影装置の電源スイッチが投入されたこと、および前記放射線画像撮影装置との通信が可能となったことの少なくとも一方を検出することによって当該放射線画像撮影装置が新たに用いられることを検出してもよい。これにより、放射線画像撮影装置の電源スイッチを投入するという自然な行動や、放射線画像撮影装置との通信が可能となるという自然な状態のみに応じて前記特定情報および前記位置情報が受け付けられるようにすることができる。
【００１９】
また、本発明は、請求項６に記載の発明のように、前記放射線画像撮影装置が撤去されることを検出する第２検出手段をさらに備え、前記受付手段が、前記第２検出手段によって前記放射線画像撮影装置が撤去されることが検出された場合に当該放射線画像撮影装置の前記特定情報および前記位置情報を受け付けてもよい。これにより、自動的に前記特定情報および前記位置情報が受け付けられる結果、より利便性を向上させることができる。
【００２０】
特に、請求項６に記載の発明は、請求項７に記載の発明のように、前記第２検出手段が、前記放射線画像撮影装置の電源スイッチがオフ状態とされたこと、および前記放射線画像撮影装置との通信ができなくなったことの少なくとも一方を検出することによって当該放射線画像撮影装置が撤去されることを検出してもよい。これにより、放射線画像撮影装置の電源スイッチをオフ状態にするという自然な行動や、放射線画像撮影装置との通信ができなくなるという自然な状態のみに応じて前記特定情報および前記位置情報が受け付けられるようにすることができる。
【００２１】
また、本発明は、請求項８に記載の発明のように、前記放射線画像撮影装置により撮影を行う際に、当該放射線画像撮影装置に対して撮影を行うことを示す情報を提示するように指示する提示指示手段をさらに備えてもよい。これにより、撮影を行う放射線画像撮影装置が特定しやすくなる結果、不要な放射線画像の撮影を防止することができる。
【００２２】
さらに、本発明は、請求項９に記載の発明のように、前記受付手段が、前記放射線画像撮影装置から前記特定情報および前記位置情報を直接受け付けてもよい。これにより、より利便性を向上させることができる。
【００２３】
一方、上記目的を達成するために、請求項１０に記載の放射線画像撮影システムは、請求項１〜請求項９の何れか１項に記載の放射線画像撮影管理装置と、前記放射線画像撮影管理装置により管理対象とされる放射線画像撮影装置と、を含んでいる。
【００２４】
請求項１０に記載の放射線画像撮影システムによれば、本発明の放射線画像撮影管理装置により、放射線画像撮影装置が管理される。
【００２５】
このように、請求項１０に記載の放射線画像撮影システムによれば、本発明の放射線画像撮影管理装置によって放射線画像撮影装置が管理されるので、当該放射線画像撮影管理装置と同様に、新たな構成品を付加することなく、不要な放射線画像の撮影を防止することができる。
【００２６】
一方、上記目的を達成するために、請求項１１に記載のプログラムは、コンピュータを、放射線画像の撮影を行う放射線画像撮影装置を特定するための特定情報および当該放射線画像撮影装置の設置位置を示す位置情報を関連付けて記憶する記憶手段と、新たに用いられる前記放射線画像撮影装置、および撤去される前記放射線画像撮影装置の少なくとも一方の前記特定情報および前記位置情報を受け付ける受付手段と、前記受付手段によって新たに用いられる前記放射線画像撮影装置の前記特定情報および前記位置情報が受け付けられた場合における、当該受け付けられた前記位置情報に関連付けられて前記記憶手段に記憶されている、当該受け付けられた前記特定情報を除く前記特定情報の数が予め定められた上限値以上になっているか否かの判定、および前記受付手段によって撤去される前記放射線画像撮影装置の前記特定情報および前記位置情報が受け付けられた場合における、当該受け付けられた前記位置情報に関連付けられて前記記憶手段に記憶されている前記特定情報の数が予め定められた下限値以下になっているか否かの判定の少なくとも一方の判定を行う判定手段と、前記判定手段によって前記上限値以上になっていると判定された場合、および前記下限値以下になっていると判定された場合に警告を報知する報知手段と、として機能させるためのものである。
【００２７】
従って、本発明によれば、コンピュータを請求項１に記載の発明と同様に作用させることができるので、請求項１に記載の発明と同様に、新たな構成品を付加することなく、不要な放射線画像の撮影を防止することができる。
【発明の効果】
【００２８】
本発明の放射線画像撮影管理装置、放射線画像撮影システム、およびプログラムによれば、新たな構成品を付加することなく、不要な放射線画像の撮影を防止することができる、という効果が得られる。
【図面の簡単な説明】
【００２９】
【図１】実施の形態に係る放射線情報システムの構成を示すブロック図である。
【図２】実施の形態に係る放射線画像撮影システムの放射線撮影室における各装置の配置状態の一例を示す側面図である。
【図３】実施の形態に係る電子カセッテの内部構成を示す透過斜視図である。
【図４】実施の形態に係る放射線画像撮影システムの電気系の要部構成を示すブロック図である。
【図５】実施の形態に係る電子カセッテ管理情報のデータ構成の一例を示す模式図である。
【図６】実施の形態に係る電子カセッテ管理処理プログラムの処理の流れを示すフローチャートである。
【図７】実施の形態に係る登録画面の一例を示す概略図である。
【図８】実施の形態に係る第１警告画面の一例を示す概略図である。
【図９】実施の形態に係る削除画面の一例を示す概略図である。
【図１０】実施の形態に係る第２警告画面の一例を示す概略図である。
【図１１】実施の形態に係る放射線画像撮影処理プログラムの処理の流れを示すフローチャートである。
【図１２】実施の形態に係る初期情報入力画面の一例を示す概略図である。
【発明を実施するための形態】
【００３０】
以下、図面を参照して、本発明を実施するための形態について詳細に説明する。なお、ここでは、本発明を、病院における放射線科部門で取り扱われる情報を統括的に管理するシステムである放射線情報システムに適用した場合の形態例について説明する。
【００３１】
まず、図１を参照して、本実施の形態に係る放射線情報システム（以下、「ＲＩＳ（Radiology Information System）」と称する。）１０の構成について説明する。
【００３２】
ＲＩＳ１０は、放射線科部門内における、診療予約、診断記録等の情報管理を行うためのシステムであり、病院情報システム（以下、「ＨＩＳ（Hospital Information System）」と称する。）の一部を構成する。
【００３３】
ＲＩＳ１０は、複数台の撮影依頼端末装置（以下、「端末装置」と称する。）１２、ＲＩＳサーバ１４、および病院内の放射線撮影室（あるいは手術室）の個々に設置された放射線画像撮影システム（以下、「撮影システム」と称する。）１８を有しており、これらが有線や無線のＬＡＮ（Local Area Network）等から成る病院内ネットワーク１６に各々接続されて構成されている。なお、ＲＩＳ１０は、同じ病院内に設けられたＨＩＳの一部を構成しており、病院内ネットワーク１６には、ＨＩＳ全体を管理するＨＩＳサーバ（図示省略。）も接続されている。
【００３４】
端末装置１２は、医師や放射線技師が、診断情報や施設予約の入力、閲覧等を行うためのものであり、放射線画像の撮影依頼や撮影予約もこの端末装置１２を介して行われる。各端末装置１２は、表示装置を有するパーソナル・コンピュータを含んで構成され、ＲＩＳサーバ１４と病院内ネットワーク１６を介して相互通信が可能とされている。
【００３５】
一方、ＲＩＳサーバ１４は、各端末装置１２からの撮影依頼を受け付け、撮影システム１８における放射線画像の撮影スケジュールを管理するものであり、データベース１４Ａを含んで構成されている。
【００３６】
データベース１４Ａは、患者（被検者）の属性情報（氏名、性別、生年月日、年齢、血液型、体重、患者ＩＤ（Identification）等）、病歴、受診歴、過去に撮影した放射線画像等の患者に関する情報、撮影システム１８で用いられる、後述する電子カセッテ３２の識別番号（ＩＤ情報）、型式、サイズ、感度、使用可能な撮影部位（対応可能な撮影依頼の内容）、使用開始年月日、使用回数等の電子カセッテ３２に関する情報、および電子カセッテ３２を用いて放射線画像を撮影する環境、すなわち、電子カセッテ３２を使用する環境（一例として、放射線撮影室や手術室等）を示す環境情報を含んで構成されている。
【００３７】
撮影システム１８は、ＲＩＳサーバ１４からの指示に応じて医師や放射線技師の操作により放射線画像の撮影を行う。撮影システム１８は、放射線源１３０（図２も参照。）から曝射条件に従った線量とされた放射線Ｘ（図３も参照。）を被検者に照射する放射線発生装置３４と、被検者の撮影対象部位を透過した放射線Ｘを吸収して電荷を発生し、発生した電荷量に基づいて放射線画像を示す画像情報を生成する放射線検出器６０（図３も参照。）を内蔵する電子カセッテ３２と、電子カセッテ３２に内蔵されているバッテリを充電するクレードル４０と、電子カセッテ３２，放射線発生装置３４，およびクレードル４０を制御するコンソール４２と、を備えている。
【００３８】
コンソール４２は、ＲＩＳサーバ１４からデータベース１４Ａに含まれる各種情報を取得して後述するＨＤＤ１１０（図４参照。）に記憶し、当該情報に基づいて、電子カセッテ３２，放射線発生装置３４，およびクレードル４０の制御を行う。
【００３９】
図２には、本実施の形態に係る撮影システム１８の放射線撮影室４４における各装置の配置状態の一例が示されている。
【００４０】
同図に示すように、放射線撮影室４４には、立位での放射線撮影を行う際に用いられる立位台４５と、臥位での放射線撮影を行う際に用いられる臥位台４６とが設置されており、立位台４５の前方空間は立位での放射線撮影を行う際の被検者の撮影位置４８とされ、臥位台４６の上方空間は臥位での放射線撮影を行う際の被検者の撮影位置５０とされている。
【００４１】
立位台４５には電子カセッテ３２を保持する保持部１５０が設けられており、立位での放射線画像の撮影を行う際には、電子カセッテ３２が保持部１５０に保持される。同様に、臥位台４６には電子カセッテ３２を保持する保持部１５２が設けられており、臥位での放射線画像の撮影を行う際には、電子カセッテ３２が保持部１５２に保持される。
【００４２】
また、放射線撮影室４４には、単一の放射線源１３０からの放射線によって立位での放射線撮影も臥位での放射線撮影も可能とするために、放射線源１３０を、水平な軸回り（図２の矢印Ａ方向）に回動可能で、鉛直方向（図２の矢印Ｂ方向）に移動可能で、さらに水平方向（図２の矢印Ｃ方向）に移動可能に支持する支持移動機構５２が設けられている。ここで、支持移動機構５２は、放射線源１３０を水平な軸回りに回動させる駆動源と、放射線源１３０を鉛直方向に移動させる駆動源と、放射線源１３０を水平方向に移動させる駆動源を各々備えている（何れも図示省略。）。
【００４３】
一方、クレードル４０には、電子カセッテ３２を収納可能な収容部４０Ａが形成されている。
【００４４】
電子カセッテ３２は、未使用時にはクレードル４０の収容部４０Ａに収納された状態で内蔵されているバッテリに充電が行われ、放射線画像の撮影時には放射線技師等によってクレードル４０から取り出され、撮影姿勢が立位であれば立位台４５の保持部１５０に保持され、撮影姿勢が臥位であれば臥位台４６の保持部１５２に保持される。
【００４５】
ここで、本実施の形態に係る撮影システム１８では、放射線発生装置３４とコンソール４２との間、および電子カセッテ３２とコンソール４２との間で、無線通信によって各種情報の送受信を行う。
【００４６】
なお、電子カセッテ３２は、立位台４５の保持部１５０や臥位台４６の保持部１５２で保持された状態のみで使用されるものではなく、その可搬性から、保持部に保持されていない状態（以下、「フリー状態」と称する。）で使用することもできる。
【００４７】
図３には、本実施の形態に係る電子カセッテ３２の内部構成が示されている。
【００４８】
同図に示すように、電子カセッテ３２は、放射線Ｘを透過させる材料からなる筐体５４を備えており、防水性、密閉性を有する構造とされている。電子カセッテ３２は、手術室等で使用されるとき、血液やその他の雑菌が付着するおそれがある。そこで、電子カセッテ３２を防水性、密閉性を有する構造として、必要に応じて殺菌洗浄することにより、１つの電子カセッテ３２を繰り返し続けて使用することができる。
【００４９】
筐体５４の内部には、放射線Ｘが照射される筐体５４の照射面５６側から、被検者による放射線Ｘの散乱線を除去するグリッド５８、被検者を透過した放射線Ｘを検出する放射線検出器６０、および放射線Ｘのバック散乱線を吸収する鉛板６２が順に配設されている。なお、筐体５４の照射面５６をグリッド５８として構成してもよい。
【００５０】
また、筐体５４の内部の一端側には、マイクロコンピュータを含む電子回路および充電可能で、かつ着脱可能なバッテリ９６Ａを収容するケース３１が配置されている。放射線検出器６０および電子回路は、ケース３１に配置されたバッテリ９６Ａから供給される電力によって作動する。ケース３１内部に収容された各種回路が放射線Ｘの照射に伴って損傷することを回避するため、ケース３１の照射面５６側には鉛板等を配設しておくことが望ましい。なお、本実施の形態に係る電子カセッテ３２は、照射面５６の形状が長方形とされた直方体とされており、その長手方向一端部にケース３１が配置されている。
【００５１】
また、筐体５４の外壁の所定位置には、電源スイッチ５４Ａと、当該電源スイッチ５４Ａのオン・オフの状態（投入状態）、‘レディ状態’，‘データ送信中’といった動作モード、バッテリ９６Ａの残容量の状態等の電子カセッテ３２の動作状態を示す表示を行う表示部５６Ａとが設けられている。なお、本実施の形態に係る電子カセッテ３２では、表示部５６Ａとして、発光ダイオードを適用しているが、これに限らず、発光ダイオード以外の発光素子や、液晶ディスプレイ、有機ＥＬディスプレイ等の他の表示手段としてもよい。
【００５２】
さらに、筐体５４の外壁の所定位置には、電子カセッテ３２を移動させる際に把持される把手５４Ｂが設けられている。なお、本実施の形態に係る電子カセッテ３２では、把手５４Ｂが筐体５４における照射面５６の長手方向に延設された側壁の中央部に設けられているが、これに限らず、例えば、照射面５６の短手方向に延設された側壁の中央部、これら側壁の中央部より電子カセッテ３２の重心位置の偏りを考慮した距離だけ偏倚した位置等、他の位置に設けてもよいことは言うまでもない。
【００５３】
次に、図４を参照して、本実施の形態に係る撮影システム１８の電気系の要部構成について説明する。
【００５４】
同図に示すように、電子カセッテ３２に内蔵された放射線検出器６０は、ＴＦＴアクティブマトリクス基板６６上に、放射線Ｘを吸収し、電荷に変換する光電変換層が積層されて構成されている。光電変換層は例えばセレンを主成分（例えば含有率５０％以上）とする非晶質のａ−Ｓｅ（アモルファスセレン）からなり、放射線Ｘが照射されると、照射された放射線量に応じた電荷量の電荷（電子−正孔の対）を内部で発生することで、照射された放射線Ｘを電荷へ変換する。なお、放射線検出器６０は、アモルファスセレンのような放射線Ｘを直接的に電荷に変換する放射線-電荷変換材料の代わりに、蛍光体材料と光電変換素子（フォトダイオード）を用いて間接的に電荷に変換してもよい。蛍光体材料としては、ガドリニウム硫酸化物（ＧＯＳ）やヨウ化セシウム（ＣｓＩ）がよく知られている。この場合、蛍光体材料によって放射線Ｘ−光変換を行い、光電変換素子のフォトダイオードによって光−電荷変換を行う。
【００５５】
また、ＴＦＴアクティブマトリクス基板６６上には、光電変換層で発生された電荷を蓄積する蓄積容量６８と、蓄積容量６８に蓄積された電荷を読み出すためのＴＦＴ７０を備えた画素部７４（図４では個々の画素部７４に対応する光電変換層を光電変換部７２として模式的に示している。）がマトリクス状に多数個配置されており、電子カセッテ３２への放射線Ｘの照射に伴って光電変換層で発生された電荷は、個々の画素部７４の蓄積容量６８に蓄積される。これにより、電子カセッテ３２に照射された放射線Ｘに担持されていた画像情報は電荷情報へ変換されて放射線検出器６０に保持される。
【００５６】
また、ＴＦＴアクティブマトリクス基板６６には、一定方向（行方向）に延設され、個々の画素部７４のＴＦＴ７０をオン・オフさせるための複数本のゲート配線７６と、ゲート配線７６と直交する方向（列方向）に延設され、オンされたＴＦＴ７０を介して蓄積容量６８から蓄積電荷を読み出すための複数本のデータ配線７８が設けられている。個々のゲート配線７６はゲート線ドライバ８０に接続されており、個々のデータ配線７８は信号処理部８２に接続されている。個々の画素部７４の蓄積容量６８に電荷が蓄積されると、個々の画素部７４のＴＦＴ７０は、ゲート線ドライバ８０からゲート配線７６を介して供給される信号により行単位で順にオンされ、ＴＦＴ７０がオンされた画素部７４の蓄積容量６８に蓄積されている電荷は、アナログの電気信号としてデータ配線７８を伝送されて信号処理部８２に入力される。従って、個々の画素部７４の蓄積容量６８に蓄積されている電荷は行単位で順に読み出される。
【００５７】
一方、信号処理部８２は、個々のデータ配線７８毎に設けられた増幅器およびサンプルホールド回路を備えており、個々のデータ配線７８を伝送された電荷信号は増幅器で増幅された後にサンプルホールド回路に保持される。また、サンプルホールド回路の出力側にはマルチプレクサ、Ａ／Ｄ（アナログ／デジタル）変換器が順に接続されており、個々のサンプルホールド回路に保持された電荷信号はマルチプレクサに順に（シリアルに）入力され、Ａ／Ｄ変換器によってデジタルの画像データへ変換される。
【００５８】
信号処理部８２には画像メモリ９０が接続されており、信号処理部８２のＡ／Ｄ変換器から出力された画像データは画像メモリ９０に順に記憶される。画像メモリ９０は複数フレーム分の画像データを記憶可能な記憶容量を有しており、放射線画像の撮影が行われる毎に、撮影によって得られた画像データが画像メモリ９０に順次記憶される。
【００５９】
画像メモリ９０は電子カセッテ３２全体の動作を制御するカセッテ制御部９２と接続されている。カセッテ制御部９２はマイクロコンピュータを含んで構成されており、ＣＰＵ（中央処理装置）９２Ａ、ＲＯＭ（Read Only Memory）およびＲＡＭ（Random Access Memory）を含むメモリ９２Ｂ、ＨＤＤ（ハードディスク・ドライブ）やフラッシュメモリ等からなる不揮発性の記憶部９２Ｃを備えている。
【００６０】
また、カセッテ制御部９２には前述した表示部５６Ａが接続されており、表示部５６Ａによる表示状態は、カセッテ制御部９２に設けられたＣＰＵ９２Ａによって制御される。
【００６１】
また、カセッテ制御部９２には無線通信部９４が接続されている。本実施の形態に係る無線通信部９４は、ＩＥＥＥ（Institute of Electrical and Electronics Engineers）８０２．１１ａ／ｂ／ｇ等に代表される無線ＬＡＮ（Local Area Network）規格に対応しており、無線通信による外部機器との間での各種情報の伝送を制御する。カセッテ制御部９２は、無線通信部９４を介してコンソール４２と無線通信が可能とされており、コンソール４２との間で各種情報の送受信が可能とされている。
【００６２】
また、電子カセッテ３２には電源部９６が設けられており、上述した各種回路や各素子（ゲート線ドライバ８０、信号処理部８２、画像メモリ９０、無線通信部９４、カセッテ制御部９２等）は、電源部９６から供給された電力によって作動する。電源部９６は、電子カセッテ３２の可搬性を損なわないように、前述したバッテリ（二次電池）９６Ａを内蔵しており、充電されたバッテリ９６Ａから各種回路や各素子へ電力を供給する。なお、図４では、電源部９６と各種回路や各素子を接続する配線の図示を省略している。
【００６３】
一方、コンソール４２は、サーバ・コンピュータとして構成されており、操作メニューや撮影された放射線画像等を表示するディスプレイ１００と、複数のキーを含んで構成され、各種の情報や操作指示が入力される操作パネル１０２と、を備えている。
【００６４】
また、本実施の形態に係るコンソール４２は、装置全体の動作を司るＣＰＵ１０４と、制御プログラムを含む各種プログラム等が予め記憶されたＲＯＭ１０６と、各種データを一時的に記憶するＲＡＭ１０８と、各種データを記憶して保持するＨＤＤ１１０と、ディスプレイ１００への各種情報の表示を制御するディスプレイドライバ１１２と、操作パネル１０２に対する操作状態を検出する操作入力検出部１１４と、を備えている。また、コンソール４２は、無線通信により、放射線発生装置３４との間で後述する曝射条件等の各種情報の送受信を行うと共に、電子カセッテ３２との間で画像データ等の各種情報の送受信を行う無線通信部１１８を備えている。
【００６５】
ＣＰＵ１０４、ＲＯＭ１０６、ＲＡＭ１０８、ＨＤＤ１１０、ディスプレイドライバ１１２、操作入力検出部１１４、および無線通信部１１８は、システムバスＢＵＳを介して相互に接続されている。従って、ＣＰＵ１０４は、ＲＯＭ１０６、ＲＡＭ１０８、ＨＤＤ１１０へのアクセスを行うことができると共に、ディスプレイドライバ１１２を介したディスプレイ１００への各種情報の表示の制御、および無線通信部１１８を介した放射線発生装置３４および電子カセッテ３２との各種情報の送受信の制御を各々行うことができる。また、ＣＰＵ１０４は、操作入力検出部１１４を介して操作パネル１０２に対するユーザの操作状態を把握することができる。
【００６６】
一方、放射線発生装置３４は、放射線源１３０と、コンソール４２との間で曝射条件等の各種情報を送受信する無線通信部１３２と、受信した曝射条件に基づいて放射線源１３０を制御する線源制御部１３４と、を備えている。
【００６７】
線源制御部１３４もマイクロコンピュータを含んで構成されており、受信した曝射条件等を記憶する。このコンソール４２から受信する曝射条件には管電圧、管電流、曝射期間等の情報が含まれている。線源制御部１３４は、受信した曝射条件に基づいて放射線源１３０から放射線Ｘを照射させる。
【００６８】
ところで、本実施の形態に係る撮影システム１８では、同一の放射線撮影室４４において複数の電子カセッテ３２を使用することができるものとされており、本実施の形態に係るコンソール４２には、上記複数の電子カセッテ３２が何れの位置で使用されているのかを管理する電子カセッテ管理機能が設けられている。このため、コンソール４２のＨＤＤ１１０には、電子カセッテ管理情報が記憶されている。
【００６９】
図５には、本実施の形態に係る電子カセッテ管理情報の一例が模式的に示されている。
【００７０】
同図に示すように、本実施の形態に係る電子カセッテ管理情報は、設置位置を示す位置情報、対応する設置位置に設置しなければならない電子カセッテ３２の台数の下限数、対応する設置位置に設置してよい電子カセッテ３２の台数の上限数、対応する設置位置に設置されている電子カセッテ３２に予め付与されたＩＤ情報、および対応するＩＤ情報が電子カセッテ管理情報に登録（更新）された日時を示す登録日時の各情報が記憶されるように構成されている。
【００７１】
同図に示す例では、例えば、臥位台４６の保持部１５２に設置しなければならない電子カセッテ３２の下限数および設置してよい上限数が共に‘１’であること、すなわち、当該保持部１５２には電子カセッテ３２が１台のみ保持可能で、かつ当該電子カセッテ３２を常時保持しておかなければならないことが示されており、さらに、この電子カセッテ３２のＩＤ情報が‘００００１’であることが示されている。
【００７２】
電子カセッテ管理機能を実現するために、放射線画像の撮影者は、放射線撮影室４４にて電子カセッテ３２を新たに用いる際には当該電子カセッテ３２の電源スイッチ５４Ａをオン状態とする一方、今まで用いていた電子カセッテ３２を放射線撮影室４４から撤去させる際には当該電子カセッテ３２の電源スイッチ５４Ａをオフ状態とする。そして、本実施の形態に係る電子カセッテ３２は、電源スイッチ５４Ａがオン状態とされた際に電源オン情報を、オフ状態とされた際に電源オフ情報を、各々無線通信部９４を介してコンソール４２に送信する。
【００７３】
なお、本実施の形態に係る電子カセッテ管理情報では、位置情報、下限数、および上限数が各々固定とされているが、これに限らず、これらの情報を電子カセッテ３２の使用状態等に応じて適宜設定する形態としてもよい。
【００７４】
次に、本実施の形態に係る撮影システム１８の作用を説明する。
【００７５】
本実施の形態に係る撮影システム１８では、上記電子カセッテ管理機能を実現するために、電源オン情報または電源オフ情報が電子カセッテ３２から受信された際に、コンソール４２によって電子カセッテ管理処理が実行される。
【００７６】
そこで、まず、図６を参照して、電子カセッテ管理処理を実行する際のコンソール４２の作用を説明する。なお、図６は、電子カセッテ３２から電源オン情報または電源オフ情報が受信された際にコンソール４２のＣＰＵ１０４によって実行される電子カセッテ管理処理プログラムの処理の流れを示すフローチャートであり、当該プログラムはＲＯＭ１０６の所定領域に予め記憶されている。
【００７７】
同図のステップ２００では、電子カセッテ３２から受信された情報が電源オン情報であったか否かを判定し、肯定判定となった場合はステップ２０２に移行して、予め定められた登録画面をディスプレイ１００により表示させるようにディスプレイドライバ１１２を制御し、次のステップ２０４にて所定情報の入力待ちを行う。
【００７８】
図７には、上記ステップ２０２の処理によってディスプレイ１００により表示される登録画面の一例が示されている。同図に示すように、本実施の形態に係る登録画面では、電源スイッチ５４Ａをオン状態とした、新たに用いる電子カセッテ３２のＩＤ情報および設置位置の入力を促すメッセージと、これらの情報の入力領域が表示される。
【００７９】
同図に示す登録画面がディスプレイ１００に表示されると、撮影者は、電源スイッチ５４Ａをオン状態とした電子カセッテ３２のＩＤ情報および設置位置（本実施の形態では、臥位台４６、立位台４５、およびフリー状態の何れか１つ。）を、各々対応する入力領域に操作パネル１０２を介して入力した後、当該登録画面の下端近傍に表示されている終了ボタンを、操作パネル１０２を介して指定する。撮影者によって終了ボタンが指定されると、上記ステップ２０４が肯定判定となってステップ２０６に移行する。
【００８０】
ステップ２０６では、電子カセッテ管理情報における、登録画面において入力された設置位置に対応する上限数、ＩＤ情報、および登録日時をＨＤＤ１１０から読み出し、次のステップ２０８にて、読み出したＩＤ情報の数（登録数）が上限数より少ないか否かを判定して、肯定判定となった場合はステップ２１０に移行する。
【００８１】
ステップ２１０では、上記ステップ２０６の処理によって読み出したＩＤ情報に、登録画面において入力されたＩＤ情報が含まれているか否かを判定し、肯定判定となった場合は本電子カセッテ管理処理プログラムを終了する一方、否定判定となった場合にはステップ２１２に移行して、登録画面において入力されたＩＤ情報を、電子カセッテ管理情報における、登録画面において入力された設置位置に対応する記憶領域に記憶（登録）した後、本電子カセッテ管理処理プログラムを終了する。
【００８２】
一方、上記ステップ２０８において否定判定となった場合にはステップ２１４に移行し、上記ステップ２０６の処理によって読み出したＩＤ情報に、登録画面において入力されたＩＤ情報が含まれているか否かを判定し、肯定判定となった場合は本電子カセッテ管理処理プログラムを終了する一方、否定判定となった場合にはステップ２１６に移行して、予め定められた第１警告画面をディスプレイ１００により表示させるようにディスプレイドライバ１１２を制御し、次のステップ２１８にて所定情報の入力待ちを行う。
【００８３】
図８には、上記ステップ２１６の処理によってディスプレイ１００により表示される第１警告画面の一例が示されている。同図に示すように、本実施の形態に係る第１警告画面では、指定位置には既に他の電子カセッテ３２が登録されていること、および確認を促すメッセージが表示される。
【００８４】
同図に示す第１警告画面がディスプレイ１００に表示されると、撮影者は、入力した設置位置に電子カセッテ３２が既に設置されているか否かを確認し、設置されている場合は当該電子カセッテ３２を用いることとする一方、設置されていない場合は、新たに用いようとしている電子カセッテ３２を当該設置位置に設置した後、当該第１警告画面の下端近傍に表示されている終了ボタンを、操作パネル１０２を介して指定する。撮影者によって終了ボタンが指定されると、上記ステップ２１８が肯定判定となってステップ２２０に移行する。
【００８５】
ステップ２２０では、登録画面において入力されたＩＤ情報を、電子カセッテ管理情報における、登録画面において入力された設置位置に対応する記憶領域に上書き記憶（更新）した後、本電子カセッテ管理処理プログラムを終了する。なお、上記ステップ２２０の処理を実行する際に、上記登録数が複数である場合には、登録日時が最も古い情報に対して更新を行う。
【００８６】
一方、上記ステップ２００において否定判定となった場合は、電源オフ情報が受信されたものと見なしてステップ２２２に移行し、予め定められた削除画面をディスプレイ１００により表示させるようにディスプレイドライバ１１２を制御し、次のステップ２２４にて所定情報の入力待ちを行う。
【００８７】
図９には、上記ステップ２２２の処理によってディスプレイ１００により表示される削除画面の一例が示されている。同図に示すように、本実施の形態に係る削除画面では、電源スイッチ５４Ａをオフ状態とした、放射線撮影室４４から撤去する電子カセッテ３２のＩＤ情報および設置位置の入力を促すメッセージと、これらの情報の入力領域が表示される。
【００８８】
同図に示す削除画面がディスプレイ１００に表示されると、撮影者は、電源スイッチ５４Ａをオフ状態とした電子カセッテ３２のＩＤ情報および設置位置を、各々対応する入力領域に操作パネル１０２を介して入力した後、当該削除画面の下端近傍に表示されている終了ボタンを、操作パネル１０２を介して指定する。撮影者によって終了ボタンが指定されると、上記ステップ２２４が肯定判定となってステップ２２６に移行する。
【００８９】
ステップ２２６では、電子カセッテ管理情報における、削除画面において入力された位置情報に対応する下限数およびＩＤ情報をＨＤＤ１１０から読み出し、次のステップ２２８にて、読み出したＩＤ情報の数（登録数）が下限数以下となっているか否かを判定して、肯定判定となった場合はステップ２３０に移行する。
【００９０】
ステップ２３０では、予め定められた第２警告画面をディスプレイ１００により表示させるようにディスプレイドライバ１１２を制御し、次のステップ２３２にて所定情報の入力待ちを行う。
【００９１】
図１０には、上記ステップ２３０の処理によってディスプレイ１００により表示される第２警告画面の一例が示されている。同図に示すように、本実施の形態に係る第２警告画面では、指定位置から電子カセッテを撤去することができないこと、および確認を促すメッセージが表示される。
【００９２】
同図に示す第２警告画面がディスプレイ１００に表示されると、撮影者は、電源スイッチ５４Ａをオフ状態とした電子カセッテ３２の設置位置を変更することなく電源スイッチ５４Ａをオン状態とした後、当該第２警告画面の下端近傍に表示されている終了ボタンを、操作パネル１０２を介して指定する。撮影者によって終了ボタンが指定されると、上記ステップ２３２が肯定判定となって本電子カセッテ管理処理プログラムを終了する。
【００９３】
一方、上記ステップ２２８において否定判定となった場合はステップ２３４に移行し、削除画面において入力されたＩＤ情報を、電子カセッテ管理情報における、削除画面において入力された設置位置に対応する記憶領域から削除した後、本電子カセッテ管理処理プログラムを終了する。
【００９４】
なお、撮影者は、上記登録画面において電源スイッチ５４Ａをオン状態とした電子カセッテ３２のＩＤ情報および設置位置を入力した後に、当該電子カセッテ３２を上記設置位置に設置する。
【００９５】
この際、上記設置位置に別の電子カセッテが既に設置されており、電源スイッチ５４Ａをオン状態とした電子カセッテ３２を設置するための空きがない場合があるが、この場合には、既に設置されている電子カセッテに代えて上記電子カセッテ３２を設置するようにする。この場合、既に設置されている電子カセッテが複数である場合もあるが、この場合には、電子カセッテ管理情報により特定される、登録日時が最も古い電子カセッテに代えて上記電子カセッテ３２を設置するようにする。
【００９６】
また、撮影者は、上記削除画面において電源スイッチ５４Ａをオフ状態とした電子カセッテ３２のＩＤ情報および設置位置を入力した後に、上記第２警告画面がディスプレイ１００に表示されなかった場合に限り、当該電子カセッテ３２を放射線撮影室４４から撤去する。
【００９７】
次に、図１１を参照して、放射線画像の撮影を行う際のコンソール４２の作用を説明する。なお、図１１は、この際にコンソール４２のＣＰＵ１０４によって実行される放射線画像撮影処理プログラムの処理の流れを示すフローチャートであり、当該プログラムはＲＯＭ１０６の所定領域に予め記憶されている。
【００９８】
同図のステップ３００では、予め定められた初期情報入力画面をディスプレイ１００により表示させるようにディスプレイドライバ１１２を制御し、次のステップ３０２にて所定情報の入力待ちを行う。
【００９９】
図１２には、上記ステップ３００の処理によってディスプレイ１００により表示される初期情報入力画面の一例が示されている。同図に示すように、本実施の形態に係る初期情報入力画面では、これから放射線画像の撮影を行う被検者の氏名、撮影部位、撮影時の姿勢（本実施の形態では、臥位、立位、フリー状態の何れか）、および撮影時の放射線Ｘの曝射条件（本実施の形態では、放射線Ｘを曝射する際の管電圧、管電流、および曝射期間）の入力を促すメッセージと、これらの情報の入力領域が表示される。
【０１００】
同図に示す初期情報入力画面がディスプレイ１００に表示されると、撮影者は、撮影対象とする被検者の氏名、撮影部位、撮影時の姿勢、および曝射条件を、各々対応する入力領域に操作パネル１０２を介して入力すると共に、被検者を所定の撮影位置に位置させた後、当該初期情報入力画面の下端近傍に表示されている終了ボタンを、操作パネル１０２を介して指定する。ユーザによって終了ボタンが指定されると、上記ステップ３０２が肯定判定となってステップ３０４に移行する。
【０１０１】
ステップ３０４では、初期情報入力画面において入力された撮影時の姿勢に応じた位置情報に対応するＩＤ情報を電子カセッテ管理情報から読み出し、次のステップ３０６にて、読み出したＩＤ情報により特定される電子カセッテ３２（以下、「撮影対象電子カセッテ」と称する。）に対し、表示部５６Ａによる放射線画像の撮影を実施することを示す表示の開始を指示する指示情報（以下、「撮影提示指示情報」と称する。）を、無線通信部１１８を介して送信する。なお、この際、上記ステップ３０４において複数のＩＤ情報を読み出す場合があるが、この場合には、読み出した複数のＩＤ情報に対応する全ての電子カセッテ３２に対して撮影提示指示情報を送信する。
【０１０２】
撮影提示指示情報を受信した撮影対象電子カセッテは、撮影を実施することを示す表示を行わせるように表示部５６Ａを制御する。なお、本実施の形態に係る撮影システム１８では、上記撮影を実施することを示す表示として、表示部５６Ａを点滅させる表示を適用しているが、これに限らず、他の表示を適用してもよいことは言うまでもない。
【０１０３】
次のステップ３０８では、初期情報入力画面において入力された曝射条件を放射線発生装置３４および撮影対象電子カセッテへ無線通信部１１８を介して送信することにより当該爆射条件を設定する。これに応じて線源制御部１３４は、受信した曝射条件での曝射準備を行う。
【０１０４】
次のステップ３１０では、曝射開始を指示する指示情報を放射線発生装置３４および撮影対象電子カセッテへ無線通信部１１８を介して送信する。
【０１０５】
これに応じて、放射線源１３０は、放射線発生装置３４がコンソール４２から受信した曝射条件に応じた管電圧、管電流、および曝射期間で放射線を発生して射出する。放射線源１３０から曝射された放射線Ｘは、被検者を透過した後に撮影対象電子カセッテのうちの少なくとも１つに到達する。
【０１０６】
一方、撮影対象電子カセッテのカセッテ制御部９２は、上記曝射開始を指示する指示情報を受信すると内蔵された放射線検出器６０の各画素部７４の蓄積容量６８への電荷の蓄積を開始し、上記曝射条件で指定された曝射期間の経過後にゲート線ドライバ８０を制御してゲート線ドライバ８０から１ラインずつ順に各ゲート配線７６にオン信号を出力させ、各ゲート配線７６に接続された各ＴＦＴ７０を１ラインずつ順にオンさせる。
【０１０７】
放射線検出器６０は、各ゲート配線７６に接続された各ＴＦＴ７０を１ラインずつ順にオンされると、１ラインずつ順に各蓄積容量６８に蓄積された電荷が電気信号として各データ配線７８に流れ出す。各データ配線７８に流れ出した電気信号は信号処理部８２でデジタルの画像データに変換されて、画像メモリ９０に記憶される。
【０１０８】
カセッテ制御部９２は、撮影終了後、画像メモリ９０に記憶された画像データを無線通信によりコンソール４２へ送信する。
【０１０９】
そこで、次のステップ３１２では、当該画像データが撮影対象電子カセッテから受信されるまで待機し、次のステップ３１４にて、上記ステップ３０６の処理に応じて開始した、撮影を実施することを示す表示の停止を指示する指示情報を撮影対象電子カセッテに対して送信する。これに応じて撮影対象電子カセッテは、撮影を実施することを示す表示を停止するように制御する。
【０１１０】
次のステップ３１６では、受信した画像データに対してシェーディング補正等の各種の補正を行う画像処理を実行する。なお、撮影対象電子カセッテが複数である場合には、上記画像データが複数受信されることになるが、この場合には、受信した画像データのうち、放射線画像を撮影したものと見なすことのできる予め定められた条件（本実施の形態では、各画素データの分布が放射線画像を示す濃度範囲となっている、との条件）を満足する画像データのみを画像処理の対象とする。
【０１１１】
次のステップ３１８では、上記画像処理が行われた画像データ（以下、「補正画像データ」と称する。）をＨＤＤ１１０に記憶し、次のステップ３２０にて、補正画像データにより示される放射線画像を、確認等を行うためにディスプレイ１００によって表示させるようにディスプレイドライバ１１２を制御し、次のステップ３２２にて、補正画像データをＲＩＳサーバ１４へ病院内ネットワーク１６を介して送信した後、本放射線画像撮影処理プログラムを終了する。なお、ＲＩＳサーバ１４へ送信された補正画像データはデータベース１４Ａに格納され、医師が撮影された放射線画像の読影や診断等を行うことが可能となる。
【０１１２】
以上詳細に説明したように、本実施の形態によれば、放射線画像撮影装置（本実施の形態では、電子カセッテ３２）を特定するための特定情報（本実施の形態では、ＩＤ情報）および当該放射線画像撮影装置の設置位置を示す位置情報を関連付けて記憶しておき、新たに用いられる放射線画像撮影装置の特定情報および位置情報が受け付けられた場合における、当該受け付けられた位置情報に関連付けられて記憶されている、当該受け付けられた特定情報を除く特定情報の数が予め定められた上限値以上になっている場合、および撤去される放射線画像撮影装置の特定情報および位置情報が受け付けられた場合における、当該受け付けられた位置情報に関連付けられて記憶されている特定情報の数が予め定められた下限値以下になっている場合の双方の場合に警告（本実施の形態では、第１警告画面および第２警告画面による警告）を報知しているので、新たな構成品を付加することなく、不要な放射線画像の撮影を防止することができる。
【０１１３】
また、本実施の形態によれば、前記上限値以上になっていると判定された場合に、受け付けられた前記位置情報と共に受け付けられた前記特定情報に、当該位置情報に関連付けられて記憶されている前記特定情報を更新しているので、新たに用いられる放射線画像撮影装置を優先して用いることが可能となり、より利便性を向上させることができる。
【０１１４】
また、本実施の形態によれば、同一の設置位置において複数の前記放射線画像撮影装置により撮影を行う場合に、当該複数の放射線画像撮影装置の全てに対して撮影を行うように指示しているので、一度の撮影によって確実に放射線画像の撮影を行うことができる結果、不要な放射線画像の撮影を防止することができる。
【０１１５】
また、本実施の形態によれば、前記放射線画像撮影装置が新たに用いられることが検出された場合に当該放射線画像撮影装置の前記特定情報および前記位置情報を受け付けているので、自動的に前記特定情報および前記位置情報が受け付けられる結果、より利便性を向上させることができる。
【０１１６】
特に、本実施の形態によれば、前記放射線画像撮影装置の電源スイッチが投入されたことを検出することによって当該放射線画像撮影装置が新たに用いられることを検出しているので、放射線画像撮影装置の電源スイッチを投入するという自然な行動のみに応じて前記特定情報および前記位置情報が受け付けられるようにすることができる。
【０１１７】
また、本実施の形態によれば、前記放射線画像撮影装置が撤去されることが検出された場合に当該放射線画像撮影装置の前記特定情報および前記位置情報を受け付けているので、自動的に前記特定情報および前記位置情報が受け付けられる結果、より利便性を向上させることができる。
【０１１８】
特に、本実施の形態によれば、前記放射線画像撮影装置の電源スイッチがオフ状態とされたことを検出することによって当該放射線画像撮影装置が撤去されることを検出しているので、放射線画像撮影装置の電源スイッチをオフ状態とするという自然な行動のみに応じて前記特定情報および前記位置情報が受け付けられるようにすることができる。
【０１１９】
さらに、本実施の形態によれば、前記放射線画像撮影装置により撮影を行う際に、当該放射線画像撮影装置に対して撮影を行うことを示す情報を提示するように指示しているので、撮影を行う放射線画像撮影装置が特定しやすくなる結果、不要な放射線画像の撮影を防止することができる。
【０１２０】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【０１２１】
また、上記の実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における適宜の組み合わせにより種々の発明を抽出できる。実施の形態に示される全構成要件から幾つかの構成要件が削除されても、効果が得られる限りにおいて、この幾つかの構成要件が削除された構成が発明として抽出され得る。
【０１２２】
例えば、上記実施の形態では、電源スイッチ５４Ａが投入されたことを検出することによって、電子カセッテ３２が新たに用いられることを検出する場合について説明したが、本発明はこれに限定されるものではなく、例えば、新たに無線通信が可能となった電子カセッテ３２を検出することにより、電子カセッテ３２が新たに用いられることを検出する形態としてもよい。なお、この場合、無線通信ができなくなった電子カセッテ３２を検出することにより、登録されている電子カセッテ３２が放射線撮影室４４から撤去されたことを検出する形態としてもよい。
【０１２３】
また、上記実施の形態では、撮影者から登録画面および削除画面を介して電子カセッテ３２のＩＤ情報および位置情報を受け付ける場合について説明したが、本発明はこれに限定されるものではなく、電子カセッテ３２からＩＤ情報および位置情報を直接受け付ける形態としてもよい。この場合の形態例としては、電子カセッテ３２において電源オン情報および電源オフ情報を送信する際に、これらの情報と共に自身に付与されているＩＤ情報および自身が設置されている位置を示す位置情報を送信する一方、コンソール４２において、これらの情報を受信する形態を例示することができる。なお、この場合には、電子カセッテ３２において位置情報を手動で設定できるように、電子カセッテ３２の筐体にスイッチ等の入力手段を設けるようにしてもよい。この場合、より利便性を向上させることができる。
【０１２４】
また、上記実施の形態では、新たに用いられる電子カセッテ３２のＩＤ情報および位置情報が受け付けられた場合における、当該受け付けられた位置情報に関連付けられて記憶されている、当該受け付けられたＩＤ情報を除くＩＤ情報の数が予め定められた上限値以上になっている場合、および撤去される電子カセッテ３２のＩＤ情報および位置情報が受け付けられた場合における、当該受け付けられた位置情報に関連付けられて記憶されているＩＤ情報の数が予め定められた下限値以下になっている場合の双方の場合に警告を報知する場合について説明したが、本発明はこれに限定されるものではなく、これらの何れか一方の場合のみに警告を報知する形態としてもよい。
【０１２５】
また、上記実施の形態では、電子カセッテ３２とコンソール４２との間、放射線発生装置３４とコンソール４２との間で、無線にて通信を行う場合について説明したが、本発明はこれに限定されるものではなく、例えば、これらの少なくとも一方を有線にて通信を行う形態としてもよい。
【０１２６】
その他、上記実施の形態で説明したＲＩＳ１０の構成（図１参照。）、放射線撮影室の構成（図２参照。）、電子カセッテ３２の構成（図３参照。）、撮影システム１８の構成（図４参照。）は一例であり、本発明の主旨を逸脱しない範囲内において、不要な部分を削除したり、新たな部分を追加したり、接続状態等を変更したりすることができることは言うまでもない。
【０１２７】
また、上記実施の形態で説明した各種プログラムの処理の流れ（図６，図１１参照。）も一例であり、本発明の主旨を逸脱しない範囲内において、不要なステップを削除したり、新たなステップを追加したり、処理順序を入れ換えたりすることができることは言うまでもない。
【０１２８】
また、上記実施の形態で説明した電子カセッテ管理情報のデータ構成（図５参照。）も一例であり、本発明の主旨を逸脱しない範囲内において、不要な情報を削除したり、新たな情報を追加したりすることができることは言うまでもない。
【０１２９】
さらに、上記実施の形態で説明した各種画面（図７〜図１０，図１２参照。）も一例であり、本発明の主旨を逸脱しない範囲内において、表示内容を変更することができることは言うまでもない。
【符号の説明】
【０１３０】
１０    ＲＩＳ
１８    放射線画像撮影システム
３２    電子カセッテ
３４    放射線発生装置
４２    コンソール
６０    放射線検出器
９２    カセッテ制御部
９２Ａ  ＣＰＵ
９４    無線通信部
１００  ディスプレイ
１０２  操作パネル
１０４  ＣＰＵ
１０６  ＲＯＭ
１１０  ＨＤＤ
１１８  無線通信部
１３０  放射線源
【図１】
2011200311.tif 000003
【図２】
2011200311.tif 000004
【図３】
2011200311.tif 000005
【図４】
2011200311.tif 000006
【図５】
2011200311.tif 000007
【図６】
2011200311.tif 000008
【図７】
2011200311.tif 000009
【図８】
2011200311.tif 000010
【図９】
2011200311.tif 000011
【図１０】
2011200311.tif 000012
【図１１】
2011200311.tif 000013
【図１２】
2011200311.tif 000014